(57)【特許請求の範囲】
【請求項１】
洗浄塔と、堰と、スプレーノズルとを有する洗浄集じん装置であって、
洗浄塔は、洗浄すべき高温ガスを受入れて洗浄水と接触させるものであり、
堰は、供給された洗浄水を洗浄塔内にオーバーフローさせるものであり、
スプレーノズルは、洗浄塔の胴部に開口され、洗浄塔内を流動する高温ガス中に洗浄水を噴霧するものであることを特徴とする洗浄集じん装置。
【請求項２】
洗浄塔は、鞘を有し、
鞘は、洗浄塔の上縁外周部分を囲んで水溜めを形成するものであり、水溜めには常時洗浄水が供給され、一定の水位を保ち、一定の水位を超えて供給された洗浄水を堰よりオーバーフローさせるものであることを特徴とする請求項１に記載の洗浄集じん装置。
【請求項３】
水槽を有し、
水槽は、洗浄塔に通じてその下方に設置されたものであり、洗浄水が充填され、水槽内の洗浄水は、スプレーノズルと堰とに供給されるものであることを特徴とする請求項１又は２に記載の洗浄集じん装置。
【請求項４】
水槽内の洗浄水は、ポンプに汲み上げられてそれぞれスプレーノズルと堰とに供給されるものであり、スプレーノズルに洗浄水を供給するポンプと、堰に洗浄水を供給するポンプとを別個に有することを特徴とする請求項１，２又は３に記載の洗浄集じん装置。
【請求項５】
堰は、洗浄塔の胴部に開口されたスプレーノズルの上方に形成され、
堰をオーバーフローした洗浄水は、スプレーノズルの噴射口を洗浄するものであることを特徴とする請求項１，２，３又は４に記載の洗浄集じん装置。
【請求項６】
ノズル配管にｐＨ調整液配管を有し、
ノズル配管は、洗浄液をスプレーノズルに供給するものであり、
ｐＨ調整液配管は、ノズル配管中にｐＨ調整液を供給してノズルから噴出すべき洗浄液に混入させるものであることを特徴とする請求項１，３，４又は５に記載の洗浄集じん装置。
【発明の詳細な説明】
【０００１】
【発明の属する技術分野】
本発明は、焼却炉，熱分解炉設備における高温の燃焼ガスを降温，洗浄する洗浄集じん装置に関する。
【０００２】
【従来の技術】
焼却炉，熱分解炉設備などにおいて、発生した燃焼ガスを降温，洗浄する方式には湿式洗浄方式と、乾式洗浄方式とがあり、湿式洗浄方式の代表的な装置としてベンチュリースクラバーが知られている。ベンチュリースクラバーは、円筒形サイクロンのガス入口にベンチュリー管を挿入し、そのスロート部周辺から管内を流れるガス中に液を噴霧する方式である。噴霧された洗浄水はこれを回収して循環使用される。
【０００３】
【発明が解決しようとする課題】
ベンチュリースクラバーによるときには、ガスと洗浄水との接触効果を高めるために、噴霧する洗浄水の粒子径をできるだけ細かくすることが望ましい。しかしながら、ベンチュリースクラバーでは、スプレーノズルからの洗浄水の噴射量だけでは、十分に燃焼ガスの降温，洗浄ができない場合があり、しかも、焼却炉に発生する燃焼ガス中には、カーボンや未燃焼物（ＳＳ分という）が大量に混入しており、これらＳＳ分がスプレーノズルの近傍に堆積するとスプレーノズルに目づまりを起こし、さらにスプレーノズルの近傍にＳＳ分が堆積してくると、スプレーノズルから噴出する水滴の粒子径が増大し、これが原因で液だれが生ずるためにガスの洗浄効率を著しく低下する欠点がある。このため、ベンチュリースクラバーは、その前段にＳＳ分除去装置としてサイクロンセパレータを設置しなければならなかった。また、堆積したＳＳ分を除去するためには、噴霧装置を度々分解して洗浄しなければならない。
【０００４】
本発明の目的は、ベンチュリースクラバー方式を用いてスプレーノズルに目詰りを生じさせず、ガスと洗浄水との接触を十分に行わせる洗浄集じん装置を提供することにある。
【０００５】
【課題を解決するための手段】
上記目的を達成するため、本発明による洗浄集じん装置においては、洗浄塔と、堰と、スプレーノズルとを有する洗浄集じん装置であって、
洗浄塔は、洗浄すべき高温ガスを受入れて洗浄水と接触させるものであり、
堰は、供給された洗浄水を洗浄塔内にオーバーフローさせるものであり、
スプレーノズルは、洗浄塔の胴部に開口され、洗浄塔内を流動する高温ガス中に洗浄水を噴霧するものである。
【０００６】
また、洗浄塔は、鞘を有し、
鞘は、洗浄塔の上縁外周部分を囲んで水溜めを形成するものであり、水溜めには常時洗浄水が供給され、一定の水位を保ち、一定の水位を超えて供給された洗浄水を堰よりオーバーフローさせるものである。
【０００７】
また、水槽を有し、
水槽は、洗浄塔に通じてその下方に設置されたものであり、洗浄水が充填され、水槽内の洗浄水は、スプレーノズルと堰とに供給されるものである。
【０００８】
また、水槽内の洗浄水は、ポンプに汲み上げられてそれぞれスプレーノズルと堰とに供給されるものであり、スプレーノズルに洗浄水を供給するポンプと、堰に洗浄水を供給するポンプとを別個に有するものである。
【０００９】
また、堰は、洗浄塔の胴部に開口されたスプレーノズルの上方に形成され、
堰をオーバーフローした洗浄水は、スプレーノズルの噴射口を洗浄するものである。
【００１０】
また、ノズル配管にｐＨ調整液配管を有し、
ノズル配管は、洗浄液をスプレーノズルに供給するものであり、
ｐＨ調整液配管は、ノズル配管中にｐＨ調整液を供給してノズルから噴出すべき洗浄液に混入させるものである。
【００１１】
【発明の実施の形態】
以下に本発明の実施の形態を図によって説明する。図１，図２において、本発明装置は、洗浄塔１と鞘２とスプレーノズル３と水槽４とを有している。
【００１２】
洗浄塔１は、スロート部５を胴部に有するベンチュリー管である。洗浄塔１は垂直姿勢で設置され、洗浄塔１の下端開口は、水槽４内に連通し、上端開口には、図３のように堰（三角堰）６が形成されている。
【００１３】
鞘２は、図３，図４に示すように堰６を覆って洗浄塔１の上端外周部分を囲んで一体に組付けられたものであり、鞘２内に水溜め７を形成するものである。水溜め７は、鞘２内に供給される洗浄水を受入れて一定水位を保ち、一定水位を超えて供給された洗浄水を前記堰６から洗浄塔１内にオーバーフローさせるものである。
【００１４】
スプレーノズル３は、洗浄塔１の胴部に開口し、スロート部５に向けて洗浄水を噴出するものである。
【００１５】
水槽４には、スプレーノズル３に通ずるノズル配管８ａと、水溜め７に通ずるオーバーフロー配管８ｂを有し、配管８ａ，８ｂには、それぞれポンプ９ａ，９ｂを有している。なお、この実施形態においては、水槽４上に排気塔１０を洗浄塔１と並設している。排気塔１０は、洗浄塔１を経由した処理ガスを受入れ、さらに除湿処理して大気中に放出するものであり、排気塔１０内には気液分離用のデミスタ１１が内蔵されている。焼却炉，熱分解炉の排気ダクト１２は、鞘２の上部開口に接続されている。
【００１６】
本実施形態において、水槽４内には定量の洗浄水が充填されている。洗浄水は、必要により注水口１３ａから補給されるが、定量以上の洗浄水は、余剰水引抜口１４から排水される。また汚れた洗浄水は、ドレン口１５から排水される。ポンプ９を起動し、水槽４内の洗浄水を汲み上げ、水溜め７内を満たし、堰６を超えて洗浄塔１内へオーバーフローさせるとともに、スプレーノズル３を通じて洗浄塔１内へ洗浄水を噴出する。なお、燃焼ガスを洗浄すると、洗浄水のｐＨが酸性になる。水槽４内には、薬液注水口１３ａを通して適宜ｐＨ調整液を注入し、洗浄液のｐＨを中性に調整する。
【００１７】
燃焼ガスは、排気ダクト１２から鞘２内に排出され、次いで洗浄塔１内へ流入し、堰６を超えてオーバーフローする洗浄水及びスプレーノズル３から噴出する洗浄水に触れて降温並びに洗浄処理され、処理ガスは水槽４内の液面上を反転して排気塔１０内へ送入され、処理ガス中に含まれる水分はデミスタ１１に捕捉され、ＳＳ分並びに水分が除去された処理ガスは、外気中に放散される。一方、洗浄塔１内にオーバーフローした洗浄水及びスプレーノズル３より噴出した洗浄水は、燃焼ガス中のＳＳ分を捕捉して、洗浄塔１内を落下し、水槽４内に戻されて循環使用される。
【００１８】
また、洗浄液の急激なｐＨの変動に対しては、スプレーノズル３より噴出する洗浄液中に直接ｐＨ調整液を混入できる。図１において、ノズル配管８ａには、ポンプ９の下流側にエジェクタ１７を有し、このエジェクタ１７には、ｐＨ調整液配管１８が接続されている。ｐＨ調整液配管１８は、タンク１９内のｐＨ調整液を吸上げてノズル配管８ａに供給するものであり、電磁弁２０を有している。電磁弁２０が「閉」のときには、ポンプ９ａの駆動により水槽４内の洗浄水が吸引されてスプレーノズル３から噴射されているが、電磁弁２０を「開」にすると、タンク１９内のｐＨ調整液がエジェクタ１７に吸引され、ノズル配管８ａで洗浄水と混り合い、洗浄水は、ｐＨが調整されてスプレーノズル３より噴出される。
【００１９】
本発明においては、ベンチュリースクラバーの機能、すなわち洗浄塔１内へ噴出されるスプレーノズル３の洗浄水による燃焼ガスの降温，洗浄に加え、洗浄塔１内へ洗浄水をオーバーフローさせつつ燃焼ガスの降温，洗浄を行うため、燃焼ガスの降温，洗浄に必要な水量をオーバーフロー水によって十分に供給することができ、スプレーノズル３の噴射口近傍は常にオーバーフロー水によって洗浄されるために、ノズルに目詰りが生ぜず、また、循環水を使用する場合に、水槽４内の洗浄水に含まれるＳＳ分は、主としてオーバーフロー側に流出することになる。一方、スプレーノズル３側にはその配管８ａに小型のＳＳ除去器１６を設けることによって、ノズル３の噴射口内は目詰りが生じにくくなる。
【００２０】
また、洗浄塔１の内壁は、常時オーバーフロー水による水膜によって燃焼ガスの熱や、酸性及び燃焼ガスに含まれる腐食性のガスによる腐食から有効に保護される。
【００２１】
【発明の効果】
以上のように本発明によるときには、ＳＳ分によるスプレーノズルの目詰りを極力抑えることができるため、前段にはＳＳ除去装置としてのサイクロン等の設置が不要となり、また、ノズルに目詰りが生じにくいため、これらのメンテナンスの作業を簡略化することができる。
【００２２】
また、本発明によれば、オーバーフローの流水量の制御が容易であり、スプレーノズルのみによる燃焼ガスの降温不良，洗浄不良をなくし、ベンチュリースクラバーのもつ欠点を解消して降温，洗浄性能を高めることができる。
【図面の簡単な説明】
【図１】本発明の一実施形態を示す断面側面図である。
【図２】同平面図である。
【図３】洗浄塔の要部を示す拡大図である。
【図４】図１のＡ−Ａ線矢視図である。
【符号の説明】
１  洗浄塔
２  鞘
３  スプレーノズル
４  水槽
５  スロート部
６  堰
７  水溜め
８ａ  ノズル配管
８ｂ  オーバーフロー配管
９ａ，９ｂ  ポンプ
１０  排気塔
１１  デミスタ
１２  排気ダクト
１３ａ  注水口
１３ｂ  薬液注入口
１４  余剰水引抜口
１５  ドレン口
１６  ＳＳ除去器
１７  エジェクタ
１８  ｐＨ調整液配管
１９  タンク
２０  電磁弁
【図１】
0003542873.tif 000002
【図２】
0003542873.tif 000003
【図３】
0003542873.tif 000004
【図４】
0003542873.tif 000005